【事件の表示】
　特願２００４−２２５４５６「複製禁止機能付ディスク状記録媒体」拒絶査定不服審判事件〔平成１６年１０月２８日出願公開、特開２００４−３０３４２４〕について、次のとおり審決する。
【結　論】
　本件審判の請求は、成り立たない。
【理　由】
１．手続の経緯
　
　本願は、平成１０年６月１６日に出願した特願平１０−１６８６１１号の一部を平成１６年８月２日に新たな特許出願としてものであって、平成１８年６月２６日付けの拒絶理由通知に対する応答期間内の平成１８年８月３０日付けで意見書が提出されたが、平成１８年９月２０日付けで拒絶査定がなされ、これに対して、平成１８年１０月２６日付けで拒絶査定不服審判が請求されたものである。
２．本願発明
　
　本願の請求項１乃至３に係る発明は、出願時の願書に添付された特許請求の範囲の請求項１乃至３に記載されたとおりのものであるところ、そのうち請求項１に係る発明（以下「本願発明」という。）は、次のとおりである。
　
「【請求項１】
　訂正可能なエラーを、データ記録時に予め意図的に付加したディスク状記録媒体であって、前記エラーはデータの再生時に特定のパターンの配列を持って繰り返し検出されるように付加されているとともに、前記繰り返しの周期は、ディスクの回転周期と異なることを特徴とする、ディスク状記録媒体。」
　
３．引用例
　
　これに対し、原査定の拒絶の理由に引用された特開平９−１２８８９０号公報（以下「引用例」という。）には、ディジタル信号が記録されている記録媒体に関して、図面と共に次の技術事項が記載されている。（なお、下線は当審で付与した。）
　
（１）「【０００１】
【発明の属する技術分野】本発明は、記録媒体にディジタル信号を記録する信号記録方法及び装置、記録媒体に記録されているディジタル信号を再生する信号再生方法及び装置、ディジタル信号を送信する信号送信方法及び装置、送信されたディジタル信号を受信する信号受信方法及び装置、並びに
ディジタル信号が記録されている記録媒体に関する
　
（２）「【００２１】
【発明の実施の形態】以下、本発明の好ましい実施の形態について図面を参照しながら説明する。
【００２２】先ず、例えばディジタル映像信号やディジタル音響信号或いはコンピュータプログラムデータ（以下、単にディジタル信号と呼ぶ）と共に、これら
ディジタル信号に対して別の異なる特定のディジタル情報（以下、特に識別情報と呼ぶ）を付加して
【００２３】図１には、上記ディジタル信号を記録媒体上に記録する際の１単位であるセクタのデータフォーマットの一例を示す。
【００２４】すなわち、この図１において、上記セクタは、横方向に２フレーム、縦方向に１４フレームが配置され、全体として２８フレームで構成されている。なお、この図１に示すフレームとは、同期信号（シンク）が挿入されている単位であり、図１の例では、先頭に２バイトの同期信号が配置され、それに続いて８５バイトのデータ領域が配置されることによって当該１フレームが構成されている。
【００２５】上記セクタのうち、データ領域の先頭の２０バイトはヘッダとされており、当該ヘッダに続く２ｋバイト（２０４８バイト）の領域には所定のデータ（ユーザデータ）が配置される。なお、上記ユーザデータは、上記ディジタル映像信号やディジタル音響信号或いはコンピュータプログラムデータ等である。また、このセクタには、上記２ｋバイトのユーザデータのエラーを検出するための符号である４バイトのＥＤＣ（エラー・ディテクション・コード）が配置されている。
【００２６】さらに、当該セクタのうち、図中の水平方向に並ぶ２つのフレームの右端には、８ビットのパリティＣ１と１４ビットのパリティＣ２が配置されている。これらは、エラー訂正符号であり、それぞれ２フレームの１７０バイトのデータに対して設定されている。Ｃ１系列は、図中の横方向（水平方向）の２フレームのデータに対して設定される。これに対して、Ｃ２系列は、Ｃ１系列とはインターリーブされた形で符号化される。すなわち、Ｃ２系列は、図の左上から右下方向に（斜め方向に）、１７０バイトのデータに対して設定されている。
【００２７】ここで、本発明実施例では、上記
セクタのパリティの一部を置換することによって、上記識別情報を上記ディジタル信号に付加するようにしている。但し、当該パリティの一部を置換する際には、パリティによる誤り訂正能力の範囲内で行うようにし、識別情報の存在／不在に拘らずデータの再生に影響を与えないようにする。具体的に言うと、上記１セクタに対しては、パリティＣ２の１系列当たり（１フレーム当たり）１バイトの合計１４バイト分の識別情報を付加するようにしている。すなわち、上記パリティＣ２は、通常１系列当たり７バイトの訂正能力を持っているので、上述のように１系列当たり１バイト分の識別情報を付加したとしても、通常の再生においてはなんら支障にならない
【００２８】一方、上述したように
パリティに識別情報を付加したセクタデータが記録された記録媒体の再生を行う際には、上記パリティを用いた誤り訂正処理を行ってユーザデータを取り出すと同時に、上記パリティに付加された識別情報の抽出をも行うようにする
【００２９】このようなことから、本発明実施例においては、記録媒体の全体の記録情報量を増やさなくても、上記ディジタル信号と共に上記識別情報を記録することができると共に、当該識別情報の再生も可能となっている。
【００３０】なお、上記
識別情報を付加したセクタを例えば複数用意し（すなわち冗長性を高め）、記録媒体に対して例えば繰り返し記録
記録媒体が例えばディスク状の記録媒体である場合には、上述のように識別情報を付加した複数のセクタを、例えば１周分のトラックに記録したり
　
　上記摘示事項及び図面を参照すると、引用例には次の発明（以下「引用発明」という。）が記載されているものと認める。
　
「一部を識別情報に置換した誤り訂正符号が付加されたディジタル信号を記録したディスク状の記録媒体であって、
　識別情報は、セクタのパリティの一部を置換することによってデジタル信号に付加し、パリティの一部を置換する際には、パリティによる誤り訂正能力の範囲内で行い、１セクタに対しては、パリティの１系列当たり１バイトの合計１４バイト分を付加し、
　識別情報を付加したセクタを複数用意し、記録媒体に対して繰り返し、１周分のトラックに記録したディスク状の記録媒体。」
　
 ４．対比
　
　本願発明と引用発明とを対比する。
（１）引用発明の「ディジタル信号」及び「ディスク状の記録媒体」は、それぞれ本願発明の「データ」及び「ディスク状記録媒体」に相当する。
（２）引用発明の「識別情報」は、「セクタのパリティの一部を置換」し、「パリティの一部を置換する際には、パリティによる誤り訂正能力の範囲内で行」うものであるから、本願発明の「訂正可能なエラー」と共通する。そうすると、引用発明は、本願発明の「訂正可能なエラーを、データ記録時に予め意図的に付加した」に相当する構成を備えている。
更に、引用発明の「識別情報」は、「１セクタに対しては、パリティの１系列当たり１バイトの合計１４バイト分」である。具体的には、「パリティに識別情報を付加したセクタデータが記録された記録媒体の再生を行う際には、…上記パリティに付加された識別情報の抽出をも行う」（上記（２）の【００２８】）と記載されているから、本願発明の「再生時に特定のパターンの配列を持って」に相当する。
（３）また、引用発明は、識別データを「記録媒体に対して繰り返し記録」するものでもあるから、本願発明の「前記エラーは…特定のパターンの配列を持って繰り返し…付加され」に相当する構成を備えている。
　
　そうすると、本願発明と引用発明とは、次の点で一致する。
　
＜一致点＞
　
「訂正可能なエラーを、データ記録時に予め意図的に付加したディスク状記録媒体であって、前記エラーは特定のパターンの配列を持って繰り返し付加されているディスク状記録媒体。」の点。
　
　そして、次の点で一応相違する。
　
＜相違点＞
　
　「エラー」について、本願発明は、「（データの）再生時に」特定のパターンの配列を持って繰り返し「検出されるように」付加されているとともに、「前記繰り返しの周期は、ディスクの回転周期と異なる」と特定するのに対し、引用発明は、そのような特定がなされていない点。
　
５．判断
　
　そこで、上記相違点について検討する。
　
　引用発明は、識別情報（訂正可能なエラー）を複数用意し、１周分のトラックに繰り返し記録、要するにディスク状記録媒体の１周のトラックに識別情報が複数繰り返し記録されるものであるから、１トラックに複数識別情報が繰り返し記録されている以上、再生時には識別情報の繰り返しの周期がディスクの回転周期と異なることになる。
　そうすると、引用発明において、「再生時に」特定のパターンの配列を持って繰り返し「検出されるように」付加されているとともに、「前記繰り返しの周期は、ディスクの回転周期と異なる」とすることは当業者が適宜容易になし得る程度のことである。
　
　そして、上記相違点を総合的に判断しても、本願発明が奏する効果は引用例から、当業者が十分に予測できたものであって、格別なものとはいえない。
　
６．むすび
　
　以上のとおり、本願の請求項１に係る発明は、引用例に記載された発明に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。